(57)【要約】【課題】生徒と前記生徒の保護者と前記生徒が在籍する１又は複数の教育機関とその他生徒との間で前記生徒関連情報を授受する際の効率化を図り、連携を高めて生徒を支援していくこと。【解決手段】インターネット５を介して生徒関連情報の授受を行う方法において、生徒Ａが端末１から、在籍している１又は複数の教育機関Ａ、Ｂをサーバ４に提供して在籍関係記憶手段に記憶するステップと、生徒Ａが端末１から、前記在籍関係記憶手段に記憶されている教育機関Ａ、Ｂの中より送信先として指定した教育機関Ａと送信内容をサーバ４に提供して生徒送信記憶手段に記憶するステップと、前記送信先に指定された教育機関Ａが端末７から、サーバ４に受信要求した場合に送信内容を前記生徒送信記憶手段から抽出して端末７へ出力するステップとを有する。【選択図】  図１
2004240938.tif 000002
【特許請求の範囲】
【請求項１】
会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、前記生徒が端末から、前記在籍関係記憶手段に記憶されている前記生徒の在籍している１又は複数の教育機関の中より送信先として指定した１又は複数の教育機関と送信内容をサーバに提供して生徒送信記憶手段に記憶するステップとを有することを特徴とする生徒関連情報授受方法。
【請求項２】
会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、前記生徒が端末から、前記在籍関係記憶手段に記憶されている前記生徒の在籍している１又は複数の教育機関の中より送信先として指定した１又は複数の教育機関と送信内容をサーバに提供して生徒送信記憶手段に記憶するステップと、前記送信先に指定された１又は複数の教育機関が端末から、サーバに受信要求した場合に送信内容を前記生徒送信記憶手段から抽出して端末へ出力するステップとを有することを特徴とする生徒関連情報授受方法。
【請求項３】
請求項２記載の生徒関連情報授受方法において、さらに、教育機関が端末から、前記在籍関係記憶手段に記憶されている前記教育機関に在籍している１又は複数の生徒の中より送信先として指定した１又は複数の生徒と送信内容をサーバに提供して生徒受信記憶手段に記憶するステップと、前記送信先に指定された１又は複数の生徒が端末から、サーバに受信要求した場合に送信内容を前記生徒受信記憶手段から抽出して端末へ出力するステップとを有することを特徴とする生徒関連情報授受方法。
【請求項４】
請求項１から３のいずれか１つに記載の生徒関連情報授受方法において、さらに、生徒が端末から、在籍していない教育機関をサーバに提供して前記在籍関係記憶手段から削除するステップとを有することを特徴とする生徒関連情報授受方法。
【請求項５】
会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、前記在籍関係記憶手段に記憶されている前記生徒の在籍している１又は複数の教育機関が端末から、前記生徒の登下校時間をサーバに提供して登下校管理記憶手段に記憶するステップと、前記生徒が端末から、サーバに閲覧要求した場合に登下校時間を前記登下校管理記憶手段から抽出して端末へ出力するステップとを有することを特徴とする生徒関連情報授受方法。
【請求項６】
会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、生徒又は教育機関が端末から、緊急連絡内容と緊急連絡先地域をサーバに提供して緊急連絡記憶手段に記憶するステップと、予め記憶している会員情報記憶手段から、緊急連絡先地域に住んでいる生徒、緊急連絡先地域にある教育機関、緊急連絡先地域にある教育機関に在籍している生徒の３つのうちいずれか１つに該当するとサーバが判定した場合にメールアドレスを抽出するステップと、サーバーが前記緊急連絡内容を抽出したメールアドレスを用いて電子メールにて通知するステップとを有することを特徴とする生徒関連情報授受方法。
【請求項７】
会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、生徒又は教育機関が端末から、緊急連絡内容と緊急連絡先地域をサーバに提供して緊急連絡記憶手段に記憶するステップと、生徒又は教育機関が端末から、サーバへアクセスした場合に、前記生徒又は教育機関が緊急連絡先地域に住んでいる生徒、緊急連絡先地域にある教育機関、在籍している教育機関が緊急連絡先地域にある生徒の３つのうちいずれか１つに該当した緊急連絡対象者とサーバが判定するステップと、サーバーが緊急連絡対象者と判定した場合、前記生徒又は教育機関に対して、前記緊急連絡内容を端末へ出力するステップとを有することを特徴とする生徒関連情報授受方法。
【請求項８】
会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、教育機関が端末から、前記在籍関係記憶手段に記憶されている前記教育機関に在籍している１又は複数の生徒の中より登録先として指定した１又は複数の生徒と登録内容をサーバに提供して教育機関共有記憶手段に記憶するステップと、前記在籍関係記憶手段に記憶されている前記登録先に指定された１又は複数の生徒の在籍している１又は複数の教育機関が端末から、サーバに閲覧要求した場合に登録内容を前記教育機関共有記憶手段から抽出して端末へ出力するステップとを有することを特徴とする生徒関連情報授受方法。
【請求項９】
会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、教育機関が端末から、前記在籍関係記憶手段に記憶されている前記教育機関に在籍している１又は複数の生徒の中より生徒を指定し、前記在籍関係記憶手段に記憶されている前記指定された生徒の在籍している１又は複数の教育機関より送信先として指定した１又は複数の教育機関と送信内容をサーバに提供して教育機関送信記憶手段に記憶するステップと、前記送信先に指定された１又は複数の教育機関が端末から、サーバに受信要求した場合に送信内容を前記教育機関送信記憶手段から抽出して端末へ出力するステップとを有することを特徴とする生徒関連情報授受方法。
【請求項１０】
会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、前記生徒からの、前記在籍関係記憶手段に記憶している前記生徒の在籍している１又は複数の教育機関の中より送信先として指定した１又は複数の教育機関と送信内容を記憶する生徒送信記憶手段と、前記送信先に指定された１又は複数の教育機関が受信要求した場合に送信内容を前記生徒送信記憶手段から抽出して端末へ出力する出力手段とを有することを特徴とする生徒関連情報授受システム。
【請求項１１】
請求項１０記載の生徒関連情報授受システムにおいて、さらに、サーバは、前記在籍関係記憶手段に記憶されている前記生徒の在籍している１又は複数の教育機関からの、送信先として指定した前記生徒と送信内容を記憶する生徒受信記憶手段と、前記送信先に指定された生徒が受信要求した場合に送信内容を前記生徒受信記憶手段から抽出して端末へ出力する出力手段とを有することを特徴とする生徒関連情報授受システム。
【請求項１２】
請求項１０又は１１に記載の生徒関連情報授受システムにおいて、さらに、サーバは、生徒が在籍していない教育機関を前記在籍関係記憶手段から削除する削除手段とを有することを特徴とする生徒関連情報授受システム。
【請求項１３】
会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、前記在籍関係記憶手段に記憶されている前記生徒の在籍している１又は複数の教育機関からの、前記生徒の登下校時間を記憶する登下校管理記憶手段と、前記生徒が閲覧要求した場合に登下校時間を前記登下校管理記憶手段から抽出して端末へ出力する出力手段とを有することを特徴とする生徒関連情報授受システム。
【請求項１４】
会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、生徒又は教育機関からの、緊急連絡内容と緊急連絡先地域を記憶する緊急連絡記憶手段と、予め記憶している会員情報記憶手段から、緊急連絡先地域に住んでいる生徒、緊急連絡先地域にある教育機関、緊急連絡先地域にある教育機関に在籍している生徒の３つのうちいずれか１つに該当すると判定した場合にメールアドレスを抽出する抽出手段と、前記緊急連絡内容を抽出したメールアドレスを用いて電子メールにて通知する通知手段とを有することを特徴とする生徒関連情報授受システム。
【請求項１５】
会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、生徒又は教育機関からの、緊急連絡内容と緊急連絡先地域を記憶する緊急連絡記憶手段と、生徒又は教育機関がサーバへアクセスした場合に、前記生徒又は教育機関が緊急連絡先地域に住んでいる生徒、緊急連絡先地域にある教育機関、在籍している教育機関が緊急連絡先地域にある生徒の３つのうちいずれか１つに該当した緊急連絡対象者と判定する判定手段と、緊急連絡対象者と判定した場合、前記生徒又は教育機関に対して、前記緊急連絡内容を端末へ出力する出力手段とを有することを特徴とする生徒関連情報授受システム。
【請求項１６】
会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、教育機関からの、前記在籍関係記憶手段に記憶されている前記教育機関に在籍している１又は複数の生徒の中より登録先として指定した１又は複数の生徒と登録内容を記憶する教育機関共有記憶手段と、前記在籍関係記憶手段に記憶されている前記登録先に指定された１又は複数の生徒の在籍している１又は複数の教育機関が閲覧要求した場合に登録内容を前記教育機関共有記憶手段から抽出して端末へ出力する出力手段とを有することを特徴とする生徒関連情報授受システム。
【請求項１７】
会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、教育機関からの、前記在籍関係記憶手段に記憶されている前記教育機関に在籍している１又は複数の生徒の中より生徒を指定し、前記在籍関係記憶手段に記憶されている前記指定された生徒の在籍している１又は複数の教育機関より送信先として指定した１又は複数の教育機関と送信内容を記憶する教育機関送信記憶手段と、前記送信先に指定された１又は複数の教育機関が受信要求した場合に送信内容を前記教育機関送信記憶手段から抽出して端末へ出力する出力手段とを有することを特徴とする生徒関連情報授受システム。
【発明の詳細な説明】
【０００１】
【発明の属する技術分野】
本発明は、生徒と前記生徒の保護者と前記生徒が在籍している１又は複数の教育機関（保育園、幼稚園、小中学校、学習塾、珠算学校等の知識や技能などを教える機関。）とその他生徒との間で生徒関連情報（勉強に関する質問、学校行事や日常的な連絡事項、登下校状況、不審者情報等の生徒に関連する情報）を授受するための方法及びシステムに関する。
【０００２】
【従来の技術】
近年、学校週５日制の導入による学力低下の懸念、さらに、いじめ、不登校や不審者に声をかけられた、あとをつけられた、痴漢にあった等の犯罪に巻き込まれるなど、生徒を取り巻く環境は好ましい状況にあるとはいえない。その状況の対応策として、教育機関、生徒、保護者間で生徒関連情報を授受し、３者の連携を高めて生徒を支援していく方法がある。
【０００３】
現状において、教育機関、生徒、保護者間の生徒関連情報の授受手段は電話、電子メール、生徒又は保護者（以下、生徒等という）とインターネットを介して接続され、ＷＥＢブラウザを通して生徒関連情報の授受を行う教育機関システムがある。前記教育機関システムは、会員（生徒等）が前記教育機関システムにアクセスすると、まず、前記教育機関システムの会員であるかを確認する会員認証が行われ、この処理で会員ＩＤやパスワードを入力し、認証された場合に前記教育機関システムが提供している機能を利用することができるシステムである。尚、前記教育機関システムは生徒と情報を授受できる教育機関を限定しているため、生徒が複数の教育機関に在籍している場合は教育機関毎に会員ＩＤを持つことになる。
【０００４】
【発明が解決しようとする課題】
上記で示した従来の生徒関連情報授受手段の電話、電子メール、教育機関システムではいろいろな問題がある。
【０００５】
まず、最初に電話、教育機関システムで発生する問題を説明する。現在、複数の教育機関に在籍している生徒は数多く存在する。その場合、生徒は複数の教育機関に対して生徒関連情報を授受する場合が発生する。電話の場合、生徒関連情報を与える時には教育機関毎に電話をかけないといけない、逆に受けとる時には教育機関毎に電話を受け取らないといけないなど手間がかかるという問題がある。また、教育機関システムでも、生徒関連情報を授受したい時には教育機関毎に会員認証処理を行わないといけないとか連絡したい内容をその都度入力しないといけないなど同様に手間がかかるという問題がある。さらに、生徒が１日に複数の教育機関に登校する場合に保護者が現在どの教育機関にいるのかを把握したい場合、電話では教育機関毎に電話をかけないといけないなど手間がかかるという問題もある。
【０００６】
次に、電子メールで発生する問題を説明する。電子メールの場合には広告メール、ウィルスメール等の迷惑なメールが届いたりする。また、連絡されたくない相手でもメールアドレスが知られてしまうと連絡されてしまうという問題がある。
【０００７】
さらに、緊急事態（不審者に声をかけられた、あとをつけられた、痴漢にあった等）が発生した場合に被害の拡大を防ぐため周辺の生徒や教育機関に知らせたい場合に知らせる手段が存在しないという問題がある。また、生徒が複数の教育機関に在籍している場合、教育機関同士で前記生徒の情報を共有又は授受する手段が存在しない。そのため、前記生徒が他の教育機関で、どんな勉強を行い、どんな成績・資格を習得しているか把握していないため、前期生徒の特徴や能力等の特性にあった指導ができない。
【０００８】
本発明は、上述した問題に鑑みてなされたもので、その目的は、生徒が在籍している１又は複数の教育機関と円滑な生徒関連情報の授受が行え、緊急事態発生時に周辺の生徒や教育機関に知らせることができ、さらに、生徒が在籍している複数の教育機関の間で生徒関連情報の共有又は授受を行えることができる生徒関連情報授受方法及びそのシステムを提供することにある。
【０００９】
【課題を解決するための手段】
上述した問題を解決するために、請求項１に記載の発明にあっては、会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、前記生徒が端末から、前記在籍関係記憶手段に記憶されている前記生徒の在籍している１又は複数の教育機関の中より送信先として指定した１又は複数の教育機関と送信内容をサーバに提供して生徒送信記憶手段に記憶するステップとを有することを特徴としている。
【００１０】
請求項２に記載の発明にあっては、会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、前記生徒が端末から、前記在籍関係記憶手段に記憶されている前記生徒の在籍している１又は複数の教育機関の中より送信先として指定した１又は複数の教育機関と送信内容をサーバに提供して生徒送信記憶手段に記憶するステップと、前記送信先に指定された１又は複数の教育機関が端末から、サーバに受信要求した場合に送信内容を前記生徒送信記憶手段から抽出して端末へ出力するステップとを有することを特徴としている。請求項３に記載の発明にあっては、請求項２記載の生徒関連情報授受方法において、さらに、教育機関が端末から、前記在籍関係記憶手段に記憶されている前記教育機関に在籍している１又は複数の生徒の中より送信先として指定した１又は複数の生徒と送信内容をサーバに提供して生徒受信記憶手段に記憶するステップと、前記送信先に指定された１又は複数の生徒が端末から、サーバに受信要求した場合に送信内容を前記生徒受信記憶手段から抽出して端末へ出力するステップとを有することを特徴としている。請求項４に記載の発明にあっては、請求項１から３のいずれか１つに記載の生徒関連情報授受方法において、さらに、生徒が端末から、在籍していない教育機関をサーバに提供して前記在籍関係記憶手段から削除するステップとを有することを特徴としている。
【００１１】
請求項５に記載の発明にあっては、会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、前記在籍関係記憶手段に記憶されている前記生徒の在籍している１又は複数の教育機関が端末から、前記生徒の登下校時間をサーバに提供して登下校管理記憶手段に記憶するステップと、前記生徒が端末から、サーバに閲覧要求した場合に登下校時間を前記登下校管理記憶手段から抽出して端末へ出力するステップとを有することを特徴としている。
【００１２】
請求項６に記載の発明にあっては、会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、生徒又は教育機関が端末から、緊急連絡内容と緊急連絡先地域をサーバに提供して緊急連絡記憶手段に記憶するステップと、予め記憶している会員情報記憶手段から、緊急連絡先地域に住んでいる生徒、緊急連絡先地域にある教育機関、緊急連絡先地域にある教育機関に在籍している生徒の３つのうちいずれか１つに該当するとサーバが判定した場合にメールアドルスを抽出するステップと、サーバーが前記緊急連絡内容を抽出したメールアドレスを用いて電子メールにて通知するステップとを有することを特徴としている。請求項７に記載の発明にあっては、会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、生徒又は教育機関が端末から、緊急連絡内容と緊急連絡先地域をサーバに提供して緊急連絡記憶手段に記憶するステップと、生徒又は教育機関が端末から、サーバへアクセスした場合に、前記生徒又は教育機関が緊急連絡先地域に住んでいる生徒、緊急連絡先地域にある教育機関、在籍している教育機関が緊急連絡先地域にある生徒の３つのうちいずれか１つに該当した緊急連絡対象者とサーバが判定するステップと、サーバーが緊急連絡対象者と判定した場合、前記生徒又は教育機関に対して、前記緊急連絡内容を端末へ出力するステップとを有することを特徴としている。
【００１３】
請求項８に記載の発明にあっては、会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、教育機関が端末から、前記在籍関係記憶手段に記憶されている前記教育機関に在籍している１又は複数の生徒の中より登録先として指定した１又は複数の生徒と登録内容をサーバに提供して教育機関共有記憶手段に記憶するステップと、前記在籍関係記憶手段に記憶されている前記登録先に指定された１又は複数の生徒の在籍している１又は複数の教育機関が端末から、サーバに閲覧要求した場合に登録内容を前記教育機関共有記憶手段から抽出して端末へ出力するステップとを有することを特徴としている。請求項９に記載の発明にあっては、会員認証処理にて認証された予め登録された会員に対して、インターネットを介して生徒に関連する情報の授受を行う生徒関連情報授受方法において、生徒が端末から、在籍している１又は複数の教育機関をサーバに提供して在籍関係記憶手段に記憶するステップと、教育機関が端末から、前記在籍関係記憶手段に記憶されている前記教育機関に在籍している１又は複数の生徒の中より生徒を指定し、前記在籍関係記憶手段に記憶されている前記指定された生徒の在籍している１又は複数の教育機関より送信先として指定した１又は複数の教育機関と送信内容をサーバに提供して教育機関送信記憶手段に記憶するステップと、前記送信先に指定された１又は複数の教育機関が端末から、サーバに受信要求した場合に送信内容を前記教育機関送信記憶手段から抽出して端末へ出力するステップとを有することを特徴としている。
【００１４】
請求項１０に記載の発明にあっては、会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、前記生徒からの、前記在籍関係記憶手段に記憶している前記生徒の在籍している１又は複数の教育機関の中より送信先として指定した１又は複数の教育機関と送信内容を記憶する生徒送信記憶手段と、前記送信先に指定された１又は複数の教育機関が受信要求した場合に送信内容を前記生徒送信記憶手段から抽出して端末へ出力する出力手段とを有することを特徴としている。請求項１１に記載の発明にあっては、請求項１０記載の生徒関連情報授受システムにおいて、さらに、サーバは、前記在籍関係記憶手段に記憶されている前記生徒の在籍している１又は複数の教育機関からの、送信先として指定した前記生徒と送信内容を記憶する生徒受信記憶手段と、前記送信先に指定された生徒が受信要求した場合に送信内容を前記生徒受信記憶手段から抽出して端末へ出力する出力手段とを有することを特徴としている。請求項１２に記載の発明にあっては、請求項１０又は１１に記載の生徒関連情報授受システムにおいて、さらに、サーバは、生徒が在籍していない教育機関を前記在籍関係記憶手段から削除する削除手段とを有することを特徴としている。
【００１５】
請求項１３に記載の発明にあっては、会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、前記在籍関係記憶手段に記憶されている前記生徒の在籍している１又は複数の教育機関からの、前記生徒の登下校時間を記憶する登下校管理記憶手段と、前記生徒が閲覧要求した場合に登下校時間を前記登下校管理記憶手段から抽出して端末へ出力する出力手段とを有することを特徴としている。
【００１６】
請求項１４に記載の発明にあっては、会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、生徒又は教育機関からの、緊急連絡内容と緊急連絡先地域を記憶する緊急連絡記憶手段と、予め記憶している会員情報記憶手段から、緊急連絡先地域に住んでいる生徒、緊急連絡先地域にある教育機関、緊急連絡先地域にある教育機関に在籍している生徒の３つのうちいずれか１つに該当すると判定した場合にメールアドレスを抽出する抽出手段と、前記緊急連絡内容を抽出したメールアドレスを用いて電子メールにて通知する通知手段とを有することを特徴としている。請求項１５に記載の発明にあっては、会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、生徒又は教育機関からの、緊急連絡内容と緊急連絡先地域を記憶する緊急連絡記憶手段と、生徒又は教育機関がサーバへアクセスした場合に、前記生徒又は教育機関が緊急連絡先地域に住んでいる生徒、緊急連絡先地域にある教育機関、在籍している教育機関が緊急連絡先地域にある生徒の３つのうちいずれか１つに該当した緊急連絡対象者と判定する判定手段と、緊急連絡対象者と判定した場合、前記生徒又は教育機関に対して、前記緊急連絡内容を端末へ出力する出力手段とを有することを特徴としている。
【００１７】
請求項１６に記載の発明にあっては、会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、教育機関からの、前記在籍関係記憶手段に記憶されている前記教育機関に在籍している１又は複数の生徒の中より登録先として指定した１又は複数の生徒と登録内容を記憶する教育機関共有記憶手段と、前記在籍関係記憶手段に記憶されている前記登録先に指定された１又は複数の生徒の在籍している１又は複数の教育機関が閲覧要求した場合に登録内容を前記教育機関共有記憶手段から抽出して端末へ出力する出力手段とを有することを特徴としている。請求項１７に記載の発明にあっては、会員認証処理にて認証された予め登録された会員に対して、インターネットを介して生徒に関連する情報の授受を行う生徒関連情報授受システムにおいて、サーバは、生徒が在籍している１又は複数の教育機関を記憶する在籍関係記憶手段と、教育機関からの、前記在籍関係記憶手段に記憶されている前記教育機関に在籍している１又は複数の生徒の中より生徒を指定し、前記在籍関係記憶手段に記憶されている前記指定された生徒の在籍している１又は複数の教育機関より送信先として指定した１又は複数の教育機関と送信内容を記憶する教育機関送信記憶手段と、前記送信先に指定された１又は複数の教育機関が受信要求した場合に送信内容を前記教育機関送信記憶手段から抽出して端末へ出力する出力手段とを有することを特徴としている。
【００１８】
尚、在籍関係記憶手段は、生徒からみた場合は在籍している教育機関を登録しており、教育機関からみた場合は在籍している生徒が登録されている。
【００１９】
請求項１、２、１０に記載の発明によれば、生徒は、在籍している複数の教育機関の中から送信先を１又は複数指定できる。したがって、生徒にとってみれば、在籍している複数の教育機関に対して簡単な操作のみで送信することができ、しかも、同時にも送信することができる。
【００２０】
請求項３、１１に記載の発明によれば、教育機関は、在籍している教育機関として登録している生徒の中からしか送信先を指定できない。したがって、生徒にとってみれば、生徒自身で登録した教育機関からしか送信されてこないので、広告メール等の迷惑メールは送信されてこない。また、生徒は、在籍している複数の教育機関から受信することができる。
【００２１】
請求項４、１２に記載の発明によれば、生徒が、在籍している教育機関を削除するということは、削除された教育機関からは前記生徒には送信できなくなる。したがって、生徒にとってみれば、削除を行うと送信されたくない相手から送信されなくなる。
【００２２】
請求項５、１３に記載の発明によれば、複数の在籍している教育機関の登下校時間が確認できるので、保護者は簡単に生徒の居場所を確認できる。
【００２３】
請求項６、７、１４、１５に記載の発明によれば、緊急事態発生時には緊急連絡先地域に住んでいる生徒、緊急連絡先地域にある教育機関、緊急連絡先地域にある教育機関に在籍している生徒に電子メールでの通知及びサーバアクセス時に緊急連絡内容を端末に出力することができるため、被害の拡大を防ぐことができる。
【００２４】
請求項８、９、１６、１７に記載の発明によれば、教育機関の間で生徒の情報を共有又は授受ができるようになり、生徒の特徴や能力を把握でき、生徒の特性にあった指導で能力を伸ばしていくことができる。
【００２５】
【発明の実施の形態】
本発明の実施の形態を説明する前に、用語について説明する。生徒等とは生徒及び前記生徒の保護者のことであり、教育機関とは保育園、幼稚園、小中学校、学習塾、珠算学校等の知識や技能などを教える機関である。また、生徒関連情報とは勉強に関する質問、学校行事や日常的な連絡事項、登下校状況、不審者情報等の生徒に関連する情報である。
【００２６】
本発明の一実施の形態について図１を用いて説明する。図１は、本発明の一実施の形態を示すブロック図である。図示するように、生徒関連情報授受システムを有するサーバ４と生徒端末１、生徒端末２、教育機関端末７、教育機関端末８はインターネット５に接続され、生徒端末３、教育機関端末９は移動体通信網６経由でインターネット５に接続されている。
【００２７】
サーバはアプリケーションを提供する機能、電子メールの送受信の機能、インターネット等に接続する機能等の機能を有している。また、各種データを保存するデータベースも有している。
【００２８】
生徒端末１、生徒端末２、教育機関端末７、教育機関端末８は、それぞれＣＲＴ等の表示部とキーボード、マウス等の入力部を有し、電子メールの送受信ができ、生徒端末３、教育機関端末９はメール機能付きの携帯電話等の移動端末である。
【００２９】
サーバ内にあるデータベースの各種テーブルについて説明する。
【００３０】
住所テーブルについて説明する。住所テーブルは全国の都道府県、市区町村、町域が格納されている。また、階層構造は３層になっており、上層は都道府県（階層番号が“１”）を示し、中層は市区町村（階層番号が“２”）を示し、下層は町域（階層番号が“３”）を示している。表１に登録例を示す。
【００３１】
【表１】
2004240938.tif 000003
【００３２】
会員情報テーブルについて説明する。会員情報テーブルは特許請求の範囲で示した会員情報記憶手段にあたり、会員毎に作成され、会員に関する情報を格納している。次に、主な項目について説明する。会員ＩＤは生徒関連情報授受システムが会員を認証する際に使用し、会員情報テーブル内でユニークな値が設定されている。公開用会員ＩＤは会員名が重複する場合があるので、会員を見分けるためにあり、会員情報テーブル内でユニークな値が設定されている。住所コードは住所テーブルの都道府県コードと市区町村コードと町域コードを連結した値となっており、会員が住んでいる地域、又は、建物がある地域を表している。会員種別は生徒又は教育機関かを見分けるために使用し、１が生徒を表し、２が教育機関を表している。表２に登録例を示す。
【００３３】
【表２】
2004240938.tif 000004
【００３４】
在籍関係テーブルについて説明する。在籍関係テーブルは特許請求の範囲で示した在籍関係記憶手段にあたり、生徒等が新たに在籍する教育機関を追加した時に作成する。生徒からみた場合は在籍している教育機関を登録しており、教育機関からみた場合は在籍している生徒が登録されている。表３に登録例を示す。尚、下記に示した例では生徒Ａは教育機関Ａ、Ｂに在籍しており、教育機関Ａには生徒Ａ、Ｂ、Ｃが在籍している。
【００３５】
【表３】
2004240938.tif 000005
【００３６】
生徒送信テーブルについて説明する。生徒送信テーブルは特許請求の範囲で示した生徒送信記憶手段にあたり、生徒等から教育機関に情報を送信する時に作成する。よって、送信元には生徒、送信先には教育機関の情報が設定される。表４に登録例を示す。
【００３７】
【表４】
2004240938.tif 000006
【００３８】
生徒受信テーブルについて説明する。生徒受信テーブルは特許請求の範囲で示した生徒受信記憶手段にあたり、教育機関から生徒等に情報を送信する時に作成する。よって、送信元には教育機関、送信先には生徒の情報が設定される。表５に登録例を示す。
【００３９】
【表５】
2004240938.tif 000007
【００４０】
登下校管理テーブルについて説明する。登下校管理テーブルは特許請求の範囲で示した登下校管理記憶手段にあたり、生徒が在籍している教育機関へ登下校した時に作成する。次に、項目の登下校フラグについて説明する。登下校フラグは登下校日時が登校した時間なのか下校した時間なのかを判定するために使用しており、１が登校した時間を表し、２が下校した時間を表している。表６に登録例を示す。
【００４１】
【表６】
2004240938.tif 000008
【００４２】
緊急連絡テーブルについて説明する。緊急連絡テーブルは特許請求の範囲で示した緊急連絡記憶手段にあたり、緊急事態発生時に周辺の生徒等や教育機関へ通知する時に作成する。次に項目の緊急連絡先地域コードについて説明する。緊急連絡先地域コードは住所テーブルの都道府県コードと市区町村コードと町域コードを連結した値である。表７に登録例を示す。
【００４３】
【表７】
2004240938.tif 000009
【００４４】
教育機関共有テーブルについて説明する。教育機関共有テーブルは特許請求の範囲で示した教育機関共有記憶手段にあたり、教育機関間で生徒に関連する情報を共有する時に作成する。表８に登録例を示す。尚、下記に示した例では教育機関Ａが生徒Ａの情報を登録し、生徒Ａが在籍している全ての教育機関が登録内容情報を閲覧できる。
【００４５】
【表８】
2004240938.tif 000010
【００４６】
教育機関送信テーブルについて説明する。教育機関送信テーブルは特許請求の範囲で示した教育機関送信記憶手段にあたり、教育機関間で生徒に関連する情報を送信する時に作成する。表９に登録例を示す。尚、下記に示した例では教育機関Ａが生徒Ａの情報を生徒Ａが在籍している教育機関Ｂに送信している。
【００４７】
【表９】
2004240938.tif 000011
【００４８】
本実施形態の動作について説明する。
【００４９】
第１の実施形態として生徒の在籍する１又は複数の教育機関を登録及び削除する機能である「在籍教育機関メンテナンス機能」について説明する。本機能は生徒等にて行う在籍教育機関登録処理と在籍教育機関削除処理の２つに分けて説明を行う。尚、会員情報テーブルには生徒及び教育機関の情報が既に登録されているものとする。
【００５０】
始めに、生徒等にて行い、在籍する教育機関が増えた場合に行う在籍教育機関登録処理について説明する。生徒等は端末からサーバ４にアクセスする。サーバ４は生徒等の端末に図２に示した会員認証画面を表示する。
【００５１】
ここで、生徒関連情報授受システムの会員であるか否かを問う会員認証処理の手順を示す。生徒等は会員ＩＤ入力欄２１、パスワード入力欄２２にそれぞれ会員ＩＤ、パスワードを入力し、送信ボタン２３を押下する。サーバ４は入力された会員ＩＤ、パスワードを受け取り、会員情報テーブルの会員ＩＤ、パスワードと入力された会員ＩＤ、パスワードがそれぞれ一致するレコードを抽出する。抽出できた場合に会員であると認証され、生徒等の端末にメニュー画面が表示される。しかし、抽出されなかった場合は、再度、会員ＩＤ、パスワードの入力を求める。また、抽出したレコードの会員ＩＤ、公開用会員ＩＤ、会員名は以降の処理で必要なため、サーバ４内で保持される。
【００５２】
また、教育機関に対しての会員認証の手順は上記に示した手順の生徒の部分を教育機関に置き換えたものとなる。
【００５３】
次に、メニュー画面には以降に説明する各処理を選択するための表示がなされているため、ここではメニュー画面から在籍教育機関メンテナンス処理を選択する。サーバ４は在籍教育機関メンテナンス処理が選択されたことを受け取り、図３に示した在籍教育機関メンテナンス画面を端末へ表示する。尚、在籍教育機関表示覧３１には在籍している教育機関を表示している。そのため、在籍関係テーブルから公開用会員ＩＤ（生徒）と会員認証処理で保持した公開用会員ＩＤが一致するレコードを抽出して、抽出したレコードの公開用会員ＩＤ（教育機関）、会員名（教育機関）を在籍教育機関表示覧３１へ設定している。
【００５４】
生徒等は在籍教育機関メンテナンス画面の追加ボタン３２を押下する。サーバ４は追加ボタン３２を押下されたことを受け取り、図４に示した都道府県選択画面を端末へ表示する。尚、都道府県選択欄４１には都道府県を表示している。そのため、住所テーブルから階層番号が”１”（都道府県階層）のレコードを抽出して、抽出したレコードの都道府県コード、都道府県名を都道府県選択欄４１へ設定している。
【００５５】
生徒等は都道府県選択欄４１から追加する教育機関のある都道府県を選択し、市区町村選択ボタン４２を押下する。サーバ４は市区町村選択ボタン４２を押下されたことを受け取り、図５に示した市区町村選択画面を端末へ表示する。尚、市区町村選択欄５１には都道府県選択欄４１で選択した都道府県配下の市区町村を表示している。そのため、住所テーブルから都道府県コードと都道府県選択欄４１で選択した都道府県コードが一致し、かつ、階層番号が”２”（市区町村階層）のレコードを抽出して、抽出したレコードの市区町村コード、市区町村名を市区町村選択欄５１に設定している。
【００５６】
生徒等は市区町村選択欄５１から追加する教育機関のある市区町村を選択し、町域選択ボタン５２を押下する。サーバ４は町域選択ボタン５２を押下されたことを受け取り、図６に示した町域選択画面を端末へ表示する。尚、町域選択欄６１には市区町村選択欄５１で選択した市区町村配下の町域を表示している。そのため、住所テーブルから都道府県コードと都道府県選択欄４１で選択した都道府県コードが一致し、かつ、市区町村コードと市区町村選択欄５１で選択した市区町村コードが一致し、かつ、階層番号が”３”（町域階層）のレコードを抽出して、抽出したレコードの町域コード、町域名を町域選択欄６１に設定している。
【００５７】
生徒等は町域選択欄６１から追加する教育機関のある町域を選択し、教育機関選択ボタン６２を押下する。サーバ４は教育機関選択ボタン６２を押下されたことを受け取り、図７に示した教育機関選択画面を端末へ表示する。尚、教育機関選択欄７１には町域選択欄６１で選択した町域配下の教育機関を表示している。そのため、会員情報テーブルから住所コードと都道府県選択欄４１で選択した都道府県コード、市区町村選択欄５１で選択した市区町村コード、町域選択欄６１で選択した町域コードの３つのコードを連結した値が一致し、かつ、会員種別が”２”（教育機関）のレコードを抽出して、抽出したレコードの公開用会員ＩＤ、会員名を教育機関選択欄７１に設定している。
【００５８】
生徒等は教育機関選択欄７１から追加する教育機関を１又は複数選択し、追加ボタン７２を押下する。サーバ４は教育機関選択欄７１で選択した１又は複数の教育機関の公開用会員ＩＤ、会員名の情報を受け取り、受け取った情報と会員認証処理で保持した公開用会員ＩＤ、会員名を元にして在籍関係テーブルへレコードを追加し、端末に正常終了のメッセージを表示する。尚、教育機関選択欄７１で教育機関が複数選択された場合、教育機関毎にレコードが作成される。さらに、追加した教育機関を在籍教育機関メンテナンス画面の在籍教育機関表示欄３１に表示する。
【００５９】
「在籍教育機関メンテナンス機能」の登録例として、生徒Ｂが沖縄県那覇市赤嶺にある教育機関Ｂ、Ｃを追加するまでを示す。尚、既に会員情報テーブルには表２に示したデータが登録され、在籍関係テーブルにも表３に示したデータが登録されているものとする。
【００６０】
生徒Ｂがメニュー画面から在籍教育機関メンテナンス処理を選択すると端末２には図３に示した在籍教育機関メンテナンス画面が表示される。次に生徒Ｂは追加ボタン３２を押下し、図４に示した都道府県選択画面から“沖縄県”、図５に示した市区町村選択画面から“那覇市”、図６に示した町域選択画面から“赤嶺”を次々に選択し、教育機関選択ボタン６２を押下する。そうすると、“赤嶺”にある教育機関が全て表示された図７に示した教育機関選択画面が表示され、その中から教育機関Ｂと教育機関Ｃを選択し、追加ボタン７２を押下すると、在籍関係テーブルへ表１０に示したレコードが追加される。
【００６１】
【表１０】
2004240938.tif 000012
【００６２】
次に、生徒等にて行い、教育機関を辞めた又は卒業した場合等に行う在籍教育機関削除処理について説明する。生徒等は図３に示した在籍教育機関メンテナンス画面の在籍教育機関表示欄３１から削除したい教育機関を選択し、削除ボタン３３を押下する。サーバ４は在籍教育機関表示欄３１から選択された教育機関の公開用会員ＩＤを受け取り、在籍関係テーブルから公開用会員ＩＤ（生徒）と会員認証処理で保持した公開用会員ＩＤが一致し、かつ、公開用会員ＩＤ（教育機関）と在籍教育機関表示欄３１で選択した教育機関の公開用会員ＩＤが一致したレコードを削除する。尚、本削除処理により、削除した教育機関とは以下で説明する「生徒関連情報送信機能」等はできなくなる。
【００６３】
第２の実施形態として生徒が在籍している１又は複数の教育機関に勉強に関する質問や確認、休みの届出等を送信する機能である「生徒関連情報送信機能」について説明する。本機能は生徒等にて行う送信処理と教育機関にて行う受信処理の２つに分けて説明を行う。尚、第１の実施形態で示した会員認証処理を実施し、生徒等と教育機関は既に認証されており、会員ＩＤ、公開用会員ＩＤ、会員名はサーバ４内で保持され、端末にはメニュー画面が表示されているものとする。また、第１の実施形態で示した在籍教育機関登録処理を実施し、在籍関係テーブルには以下の説明で用いている生徒の在籍している教育機関が１又は複数登録されており、その中に以下の説明で用いている教育機関も含まれているものとする。
【００６４】
始めに、生徒等にて行い、在籍している１又は複数の教育機関に勉強に関する質問や確認、休みの届出等を送信する送信処理について説明する。生徒等はメニュー画面より送信処理を選択する。サーバ４は送信処理が選択されたことを受け取り、図８に示した送信画面を端末へ表示する。尚、送信先教育機関選択欄８２には在籍している教育機関を表示している。そのため、在籍関係テーブルから公開用会員ＩＤ（生徒）と会員認証処理で保持した公開用会員ＩＤが一致するレコードを抽出して、抽出したレコードの公開用会員ＩＤ（教育機関）、会員名（教育機関）を送信先教育機関選択欄８２に設定している。
【００６５】
送信画面の送信内容入力欄８１に勉強に関する質問や確認、休みの届出等を入力する。次に、送信先教育機関選択欄８２から送信したい教育機関を１又は複数選択し、送信ボタン８３を押下する。サーバ４は送信内容入力欄８１で入力した送信内容と送信先教育機関選択欄８２で選択した１又は複数の教育機関の公開用会員ＩＤ、会員名の情報を受け取り、受け取った情報と会員認証処理で保持した公開用会員ＩＤ、会員名を元にして生徒送信テーブルへレコードを追加し、端末に正常終了のメッセージを表示する。尚、送信先教育機関選択欄８２で教育機関が複数選択された場合、教育機関毎にレコードが作成される。
【００６６】
次に、教育機関が行い、上記で送信した生徒等からの送信情報を閲覧したい場合に用いる受信処理について説明する。教育機関はメニュー画面より受信処理を選択する。サーバ４は受信処理が選択されたことを受け取り、図９に示した受信画面を端末へ表示する。尚、送信元生徒表示欄９１、送信内容表示欄９２には生徒送信テーブルから公開用会員ＩＤ（送信先）と会員認証処理で保持した公開用会員ＩＤが一致するレコードを抽出して、抽出したレコードの公開用会員ＩＤ（送信元）、会員名（送信元）、送信内容を設定する。
【００６７】
「生徒関連情報送信機能」の例として、生徒Ａが在籍している教育機関Ａ，Ｂに送信内容（“珠算検定で１０段に合格しました。”）を送信し、教育機関Ａ、Ｂにて送信された情報を閲覧するまでを示す。尚、既に会員情報テーブルには表２に示したデータが登録され、在籍関係テーブルにも表３に示したデータが登録されているものとする。
【００６８】
生徒Ａがメニュー画面から送信処理を選択すると端末１には図８に示した送信画面が表示される。次に、生徒Ａは送信内容入力欄８１に送信内容（“珠算検定で１０段に合格しました。”）を入力し、送信先教育機関選択欄８２より教育機関Ａ、Ｂを選択する。送信ボタン８３を押下することにより、生徒送信テーブルに表４に示したレコードが追加される。
【００６９】
教育機関Ａがメニュー画面から受信処理を選択すると教育機関Ａの端末７には図９に示した受信画面が表示される。
【００７０】
また、教育機関Ｂからも上記で示した処理を実行することにより、生徒Ａからの送信情報を閲覧することができる。
【００７１】
第３の実施形態として生徒が在籍している１又は複数の教育機関からの勉強に関する質問や確認、学校行事のお知らせ等を受信する機能である「生徒関連情報受信機能」について説明する。本機能は教育機関にて行う送信処理と生徒等にて行う受信処理の２つに分けて説明を行う。尚、第１の実施形態で示した会員認証処理を実施し、生徒等と教育機関は既に認証されており、会員ＩＤ、公開用会員ＩＤ、会員名はサーバ４内で保持され、端末にはメニュー画面が表示されているものとする。また、第１の実施形態で示した在籍教育機関登録処理を実施し、在籍関係テーブルには以下の説明で用いている生徒の在籍している教育機関が１又は複数登録されており、その中に以下の説明で用いている教育機関も含まれているものとする。
【００７２】
始めに、教育機関にて行い、生徒に勉強に関する確認や学校行事のお知らせ等を送信する送信処理について説明する。教育機関はメニュー画面より送信処理を選択する。サーバ４は送信処理が選択されたことを受け取り、図１０に示した送信画面を端末へ表示する。尚、送信先生徒選択欄１０２には在籍している生徒を表示している。そのため、在籍関係テーブルから公開用会員ＩＤ（教育機関）と会員認証処理で保持した公開用会員ＩＤが一致するレコードを抽出して、抽出したレコードの公開用会員ＩＤ（生徒）、会員名（生徒）を送信先生徒選択欄１０２に設定している。
【００７３】
送信画面の送信内容入力欄１０１に生徒の勉強に関する確認や学校行事のお知らせ等を入力する。次に、送信先生徒選択欄１０２から送信したい生徒を１又は複数選択し、送信ボタン１０３を押下する。サーバ４は送信内容入力欄１０１で入力した送信内容と送信先生徒選択欄１０２で選択した１又は複数の生徒の公開用会員ＩＤ、会員名の情報を受け取り、受け取った情報と会員認証処理で保持した公開用会員ＩＤ、会員名を元にして生徒受信テーブルへレコードを追加し、端末に対して正常終了メッセージを表示する。尚、送信先生徒選択欄１０２で生徒が複数選択された場合、生徒毎にレコードが作成される。
【００７４】
次に、生徒等にて行い、上記で送信した教育機関からの送信情報を閲覧したい場合に用いる受信処理について説明する。生徒等はメニュー画面より受信処理を選択する。サーバ４は受信処理が選択されたことを受け取り、図１１に示した受信画面を端末へ表示する。尚、送信元教育機関表示欄１１１、送信内容表示欄１１２には、生徒受信テーブルから公開用会員ＩＤ（送信先）と会員認証処理で保持した公開用会員ＩＤが一致するレコードを抽出して、抽出したレコードの公開用会員ＩＤ（送信元）、会員名（送信元）、送信内容を設定する。
【００７５】
「生徒関連情報受信機能」の例として、教育機関Ａ，Ｂが在籍している生徒Ａに送信内容（“今日は台風のため休校とします。”）を送信し、生徒Ａにて送信された情報を閲覧するまでを示す。尚、既に会員情報テーブルには表２に示したデータが登録され、在籍関係テーブルにも表３に示したデータが登録されているものとする。
【００７６】
教育機関Ａがメニュー画面から送信処理を選択すると教育機関Ａの端末７には図１０に示した送信画面が表示される。次に、教育機関Ａは送信内容入力欄１０１に送信内容（“今日は台風のため休校とします。”）を入力し、送信先生徒選択欄１０２より生徒Ａを選択し、送信ボタン１０３を押下する。また、教育機関Ｂからも生徒Ａに対して同様に行うことにより、生徒受信テーブルに表５に示したレコードが追加される。
【００７７】
生徒Ａがメニュー画面から受信処理を選択すると生徒Ａの端末１には図１１に示した受信画面が表示される。
【００７８】
第４の実施形態として生徒が在籍している１又は複数の教育機関の登下校履歴を確認する場合や保護者が生徒の現在いる教育機関を確認する場合や生徒が幼い場合に教育機関に何事もなく登校したかを確認するための機能である「登下校管理機能」について説明する。本機能の説明は教育機関の端末から教育機関又は生徒等にて行う登下校入力処理と生徒等にて行う登下校閲覧処理の２つに分けて説明を行う。尚、本処理の実施前に第１の実施形態で示した会員認証処理を実施し、生徒等と教育機関は既に認証されており、会員ＩＤ、公開用会員ＩＤ、会員名はサーバ４内で保持され、端末にはメニュー画面が表示されているものとする。また、第１の実施形態で示した在籍教育機関登録処理を実施し、在籍関係テーブルには以下の説明で用いている生徒の在籍している教育機関が１又は複数登録されており、その中に以下の説明で用いている教育機関も含まれているものとする。
【００７９】
始めに、教育機関の端末にて教育機関または生徒等が行い、生徒の登校又は下校時間を登録する登下校入力処理を説明する。メニュー画面より登下校入力処理を選択する。サーバ４は登下校入力処理が選択されたことを受け取り、図１２に示した登下校入力画面を端末へ表示する。尚、生徒選択欄１２１には在籍している生徒を表示している。そのため、在籍関係テーブルから公開用会員ＩＤ（教育機関）と会員認証処理で保持した公開用会員ＩＤが一致するレコードを抽出して、抽出したレコードの公開用会員ＩＤ（生徒）、会員名（生徒）を生徒選択欄１２１に設定している。
【００８０】
登下校入力画面の生徒選択欄１２１から生徒を１又は複数選択し、登校ボタン１２２又は下校ボタン１２３を押下する。サーバ４は生徒選択欄１２１で選択した生徒の公開用会員ＩＤ、会員名と登校ボタン１２２、下校ボタン１２３のどちらが押下されたかの情報を受け取り、受け取った情報と会員認証処理で保持した公開用会員ＩＤ、会員名とシステム日付を元にして登下校管理テーブルへレコードを追加し、端末に正常終了メッセージを表示する。尚、生徒選択欄１２１にて生徒が複数選択された場合、生徒毎にレコードが作成される。
【００８１】
次に、生徒等にて行い、１又は複数の教育機関の登下校履歴を閲覧する場合や保護者が生徒の現在いる教育機関を確認する場合や生徒が幼い場合に教育機関に何事もなく登校したかを確認するため等に用いる登下校閲覧処理を説明する。生徒等はメニュー画面より登下校閲覧処理を選択する。サーバ４は登下校閲覧処理が選択されたことを受け取り、図１３に示した登下校閲覧画面を端末へ表示する。尚、教育機関表示欄１３１、登下校日時表示欄１３２（登下校フラグが１の場合は登下校日時を上の欄に、２の場合は下の欄に設定）には、登下校管理テーブルから公開用会員ＩＤ（生徒）と会員認証処理で保持した公開用会員ＩＤが一致するレコードを抽出して、抽出したレコードの公開用会員ＩＤ（教育機関）、会員名（教育機関）、登下校日時を設定する。
【００８２】
「登下校管理機能」の例として、生徒Ａが２月２日に教育機関Ａに登下校し、さらに教育機関Ｂに登校した時点の登下校時間を閲覧するまでを示す。尚、既に会員情報テーブルには表２に示したデータが登録され、在籍関係テーブルにも表３に示したデータが登録されているものとする。
【００８３】
教育機関Ａがメニュー画面から登下校入力処理を選択すると教育機関Ａの端末７には図１２に示した登下校入力画面が表示される。次に、教育機関Ａは生徒選択欄１２１より生徒Ａを選択し、７時３０分に登校ボタン１２２を押下し、１５時３０分に下校ボタン１２３を押下する。また、教育機関Ｂでも同様に１６時３０分に登校ボタン１２２を押下することにより、登下校管理テーブルに表６に示したレコードが追加される。
【００８４】
生徒Ａがメニュー画面から登下校閲覧処理を選択すると生徒Ａの端末１には図１３に示した登下校閲覧画面が表示される。
【００８５】
第５の実施形態として緊急事態発生時（不審者に声をかけられた、あとをつけられた、痴漢にあった等）に周辺の生徒や教育機関に連絡する機能である「緊急連絡機能」について説明する。本機能は生徒等と教育機関で同じ処理手順のため、生徒等の処理手順を例にして説明を行う。また、緊急連絡入力処理と緊急連絡通知処理の２つに分けて説明する。尚、本処理の実施前に第１の実施形態で示した会員認証処理を実施し、教育機関は認証されており、端末には既にメニュー画面が表示されているものとする。また、第１の実施形態で示した在籍教育機関登録処理を実施し、生徒在籍関係テーブルには以下の説明で用いている生徒の在籍している教育機関が１又は複数登録されており、その中に以下の説明で用いている教育機関も含まれているものとする。
【００８６】
始めに、生徒等はメニュー画面より緊急連絡入力処理を選択する。サーバ４は緊急連絡入力処理が選択されたことを受け取り、生徒等の端末に図１４に示した緊急連絡入力画面を表示する。
【００８７】
緊急連絡内容入力欄１４１に緊急連絡内容を入力し、次に、緊急連絡先地域設定欄１４２に緊急連絡したい地域を１又は複数設定を行う。設定する方法は地域設定ボタン１４３を押下する。サーバ４は地域設定ボタン１４３を押下されたことを受け取り、図１５に示した都道府県選択画面を端末へ表示する。尚、都道府県選択欄１５１には都道府県を表示している。そのため、住所テーブルから階層番号が”１”（都道府県階層）のレコードを抽出して、抽出したレコードの都道府県コード、都道府県名を都道府県選択欄１５１へ設定している。
【００８８】
生徒等は都道府県選択欄１５１から緊急連絡したい地域のある都道府県を選択し、市区町村選択ボタン１５２を押下する。サーバ４は市区町村選択ボタン１５２を押下されたことを受け取り、図１６に示した市区町村選択画面を端末へ表示する。尚、市区町村選択欄１６１には都道府県選択欄１５１で選択した都道府県配下の市区町村を表示している。そのため、住所テーブルから都道府県コードと都道府県選択欄１５１で選択した都道府県コードが一致し、かつ、階層番号が”２”（市区町村階層）のレコードを抽出して、抽出したレコードの市区町村コード、市区町村名を市区町村選択欄１６１に設定している。
【００８９】
生徒等は市区町村選択欄１６１から緊急連絡したい地域のある市区町村を選択し、町域選択ボタン１６２を押下する。サーバ４は町域選択ボタン１６２を押下されたことを受け取り、図１７に示した町域選択画面を端末へ表示する。尚、町域選択欄１７１には市区町村選択欄１６１で選択した市区町村配下の町域を表示している。そのため、住所テーブルから都道府県コードと都道府県選択欄１５１で選択した都道府県コードが一致し、かつ、市区町村コードと市区町村選択欄１６１で選択した市区町村コードが一致し、かつ、階層番号が”３”（町域階層）のレコードを抽出して、抽出したレコードの町域コード、町域名を町域選択欄１７１に設定している。
【００９０】
生徒等は町域選択欄１７１から緊急連絡したい町域を選択し、連絡地域設定ボタン１７２を押下する。サーバ４は連絡地域設定ボタン１７２を押下されたことを受け取り、都道府県選択欄１５１で選択した都道府県と市区町村選択欄１６１で選択した市区町村と町域選択欄１７１で選択した町域のコードと名称を連結した値を緊急連絡入力画面の緊急連絡先地域設定欄１４２に設定する。
【００９１】
緊急連絡内容入力欄１４１、緊急連絡先地域設定欄１４２への設定が終了したら、送信ボタン１４４を押下する。サーバ４は緊急連絡内容入力欄１４１で入力した緊急連絡内容、緊急連絡先地域設定欄１４２で設定した緊急連絡先地域の情報を受け取り、受け取った情報と会員認証処理で保持した公開用会員ＩＤ、会員名を元にして緊急連絡テーブルへレコードを追加し、端末に正常終了メッセージを表示する。尚、緊急連絡先地域設定欄１４２にて緊急連絡先地域が複数設定された場合、緊急連絡先地域毎にレコードが作成される。
【００９２】
次に、上記で設定した緊急連絡内容を緊急連絡先地域から導いた判定条件に該当した会員に通知する緊急連絡通知処理について説明する。緊急連絡通知処理は電子メール通知処理とサーバアクセス時表示処理の２通りあるが、その前に、緊急連絡通知対象となる会員を示す。
【００９３】
緊急連絡通知対象となる会員の判定条件は３つあり、第１対象会員は緊急連絡先地域に住んでいる生徒、第２対象会員は緊急連絡先地域にある教育機関、第３対象会員は緊急連絡先地域にある教育機関に在籍している生徒（電子メール通知処理の場合）、または、在籍している教育機関が緊急連絡先地域にある生徒（サーバアクセス時表示処理の場合）である。そのうちのいずれかひとつに該当した会員に緊急連絡を通知する。
【００９４】
まず、電子メール通知処理について説明を行う。緊急連絡テーブルへレコードを追加した後、サーバ４は会員情報テーブルに登録されている会員に対して上記で示した第１対象会員から第３対象会員に該当するかを判定し、いずれかひとつに該当した会員に対して、緊急連絡内容入力欄１４１で入力した緊急連絡内容、会員情報テーブルからメールアドレスを取得し、その情報を元に電子メールを送信する。尚、ここでの第１対象会員となるのは会員情報テーブルの会員種別が“１”で、かつ、住所コードと緊急連絡テーブルの緊急連絡先地域コードが一致する会員であり、第２対象会員となるのは会員情報テーブルの会員種別が“２”で、かつ、住所コードと緊急連絡テーブルの緊急連絡先地域コードが一致する会員であり、第３対象会員となるのは、在籍関係テーブルから公開用会員ＩＤ（教育機関）と第２対象会員に該当した教育機関の会員情報テーブルの公開用会員ＩＤが一致するレコードを抽出して、抽出したレコードの公開用会員ＩＤ（生徒）が会員情報テーブルの公開用会員ＩＤと一致した会員である。
【００９５】
次に、サーバアクセス時表示処理について説明を行う。緊急連絡テーブルへレコードを追加した後、会員認証処理終了後に会員からサーバ４へのアクセスがあった場合に前記会員は上記に示した第１対象会員から第３対象会員に該当するかを判定し、いずれかひとつに該当した場合、端末に図１８に示した緊急連絡画面を表示し、緊急連絡内容表示欄１８１には緊急連絡内容入力欄１４１で入力した緊急連絡内容を設定する。尚、ここでの第１対象会員となるのは前記会員の会員情報テーブルの会員種別が“１”で、かつ、住所コードと緊急連絡テーブルの緊急連絡先地域コードが一致する場合であり、第２対象会員となるのは前記会員の会員情報テーブルの会員種別が“２”で、かつ、住所コードと緊急連絡テーブルの緊急連絡先地域コードが一致する場合であり、第３対象会員となるのは、まず、在籍関係テーブルから公開用会員ＩＤ（生徒）と前記会員の会員情報テーブルの公開用会員ＩＤが一致するレコードを抽出する。次に、会員情報テーブルから公開用会員ＩＤと上記で抽出したレコードの公開用会員ＩＤ（教育機関）が一致するレコードを抽出して、抽出したレコードの住所コードが緊急連絡テーブルの緊急連絡先地域と一致する場合である。
【００９６】
「緊急連絡機能」の例として、生徒Ａが緊急連絡先地域に“沖縄県那覇市赤嶺”、緊急連絡内容に“発生時間：１６時３０分〜”を入力して送信し、緊急連絡通知対象者が緊急連絡を閲覧するまでを示す。尚、既に会員情報テーブルには表２に示したデータが登録され、在籍関係テーブルにも表３に示したデータが登録されているものとする。
【００９７】
生徒Ａがメニュー画面から緊急連絡入力処理を選択すると生徒Ａの端末１には図１４に示した緊急連絡入力画面が表示される。緊急連絡内容入力欄１４１へ緊急連絡内容（“発生時間：１６時３０分〜”）を入力し、次に、生徒Ａは地域設定ボタン１４３を押下し、図１５に示した都道府県選択画面から“沖縄県”、図１６に示した市区町村選択画面から“那覇市”、図１７に示した町域選択画面から“赤嶺”を次々に選択し、連絡地域設定ボタン１７２を押下する。そうすると、緊急連絡入力画面の緊急連絡先地域設定欄１４２に設定されるので、送信ボタン１４４を押下する。
【００９８】
電子メール通知処理の対象者は、生徒Ａ、Ｂ（第１対象会員）と生徒Ｃ（第３対象会員）と教育機関Ａ、Ｂ、Ｃ（第２対象会員）となる。対象者は緊急連絡の電子メールを受信し閲覧する。
【００９９】
サーバアクセス時表示処理の対象者は、電子メール通知処理の対象者と同一である。対象者が会員認証処理後にメニュー画面等を要求した場合に図１８に示した緊急連絡画面を表示する。
【０１００】
第６の実施形態として生徒が在籍している複数の教育機関の間で生徒の教育内容、取得資格等の生徒関連情報を共有する機能である「教育機関間生徒関連情報共有機能」について説明する。本機能は教育機関にて行う教育機関登録処理と教育機関閲覧処理の２つに分けて説明を行う。尚、本処理の実施前に第１の実施形態で示した会員認証処理を実施し、生徒等と教育機関は既に認証されており、会員ＩＤ、公開用会員ＩＤ、会員名はサーバ４内で保持され、端末にはメニュー画面が表示されているものとする。また、第１の実施形態で示した在籍教育機関登録処理を実施し、在籍関係テーブルには以下の説明で用いている生徒の在籍している教育機関が１又は複数登録されており、その中に以下の説明で用いている教育機関も含まれているものとする。
【０１０１】
始めに、教育機関にて行い、生徒の教育内容や取得資格等の情報を登録する教育機関登録処理について説明する。教育機関はメニュー画面より教育機関登録処理を選択する。サーバ４は教育機関登録処理が選択されたことを受け取り、図１９に示した教育機関登録画面を端末へ表示する。尚、登録先生徒選択欄１９２には在籍している生徒を表示している。そのため、在籍関係テーブルから公開用会員ＩＤ（教育機関）と会員認証処理で保持した公開用会員ＩＤが一致するレコードを抽出して、抽出したレコードの公開用会員ＩＤ（生徒）、会員名（生徒）を登録先生徒選択欄１９２へ設定している。
【０１０２】
教育機関登録画面の登録内容入力欄１９１に生徒関連情報（教育内容、取得資格等）を入力する。次に、登録先生徒選択欄１９２から登録したい生徒を１又は複数選択し、登録ボタン１９３を押下する。サーバ４は登録内容入力欄１９１で入力した登録内容と登録先生徒選択欄１９２で選択した１又は複数の生徒の公開用会員ＩＤ、会員名の情報を受け取り、受け取った情報と会員認証処理で保持した公開用会員ＩＤ、会員名を元にして教育機関共有テーブルへレコードを追加し、端末に正常終了メッセージを表示する。尚、登録先生徒選択欄１９２で生徒が複数選択された場合、生徒毎にレコードが作成される。
【０１０３】
次に、教育機関が上記で登録した生徒関連情報を閲覧したい場合に用いる教育機関閲覧処理について説明する。教育機関はメニュー画面より教育機関閲覧処理を選択する。サーバ４は教育機関閲覧処理が選択されたことを受け取り、図２０に示した生徒選択画面を端末へ表示する。尚、生徒選択欄２０１には在籍している生徒を表示している。そのため、在籍関係テーブルから公開用会員ＩＤ（教育機関）と会員認証処理で保持した公開用会員ＩＤが一致するレコードを抽出して、抽出したレコードの公開用会員ＩＤ（生徒）、会員名（生徒）を生徒選択欄２０１へ設定している。
【０１０４】
生徒選択画面の生徒選択欄２０１から閲覧したい生徒を選択する。サーバ４は生徒選択欄２０１で選択した生徒の公開用会員ＩＤの情報を受け取り、図２１に示した教育機関閲覧画面を端末へ表示する。尚、登録元教育機関表示欄２１１、登録内容表示欄２１２には、教育機関共有テーブルから公開用会員ＩＤ（登録先）と生徒選択欄２０１で選択した生徒の公開用会員ＩＤが一致するレコードを抽出して、抽出したレコードの公開用会員ＩＤ（登録元）、会員名（登録元）、登録内容を設定する。
【０１０５】
「教育機関間生徒関連情報共有機能」の例として、教育機関Ａが生徒Ａ、Ｂの登録内容（“珠算検定で１０段に〜“）を登録し、生徒Ａが在籍している教育機関Ｂにて登録された情報を閲覧するまでの処理を示す。尚、既に会員情報テーブルには表２に示したデータが登録され、在籍関係テーブルにも表３に示したデータが登録されているものとする。
【０１０６】
教育機関Ａがメニュー画面から教育機関登録処理を選択すると教育機関Ａの端末７には図１９に示した教育機関登録画面が表示される。次に、教育機関Ａは登録内容入力欄１９１に“珠算検定で１０段に〜“を入力し、登録先生徒選択欄１９２より生徒Ａ、Ｂを選択し、登録ボタン１９３を押下することにより、教育機関共有テーブルへ表８に示したレコードが追加される。
【０１０７】
教育機関Ｂがメニュー画面から教育機関閲覧処理を選択すると教育機関Ｂの端末８には図２０に示した生徒選択画面が表示される。次に、教育機関Ｂは生徒選択欄２０１から閲覧したい生徒Ａを選択すると教育機関Ｂの端末８には図２１に示した教育機関閲覧画面が表示される。
【０１０８】
次に、第７の実施形態として生徒が在籍している複数の教育機関の間で生徒への教育方法や教育内容に関する質問、大会や競技会で優秀な成績をおさめた生徒の報告等の情報を授受する機能である「教育機関間生徒関連情報授受機能」について説明する。本機能の説明は教育機関にて行う教育機関送信処理と教育機関受信処理の２つに分けて説明を行う。尚、本処理の実施前に第１の実施形態で示した会員認証処理を実施し、生徒等と教育機関は既に認証されており、会員ＩＤ、公開用会員ＩＤ、会員名はサーバ４内で保持され、端末にはメニュー画面が表示されているものとする。また、第１の実施形態で示した在籍教育機関登録処理を実施し、在籍関係テーブルには以下の説明で用いている生徒の在籍している教育機関が１又は複数登録されており、その中に以下の説明で用いている教育機関も含まれているものとする。
【０１０９】
始めに、教育機関にて行い、生徒が在籍している複数の教育機関に生徒への教育方法や教育内容に関する質問、大会や競技会で優秀な成績をおさめた生徒の報告等の情報を送信する教育機関送信処理について説明する。教育機関はメニュー画面より教育機関送信処理を選択する。サーバ４は教育機関送信処理が選択されたことを受け取り、図２０に示した生徒選択画面を端末へ表示する。尚、生徒選択欄２０１には在籍している生徒を表示している。そのため、在籍関係テーブルから公開用会員ＩＤ（教育機関）と会員認証処理で保持した公開用会員ＩＤが一致するレコードを抽出して、抽出したレコードの公開用会員ＩＤ（生徒）、会員名（生徒）を生徒選択欄２０１へ設定している。
【０１１０】
生徒選択画面の生徒選択欄２０１から生徒関連情報を送信したい生徒を選択する。サーバ４は生徒選択欄２０１で選択した生徒の公開用会員ＩＤ、会員名の情報を受け取り、図２２に示した教育機関送信画面を端末へ表示する。尚、送信先教育機関選択欄２２２には生徒選択欄２０１で選択した生徒の在籍している教育機関を表示している。そのため、在籍関係テーブルから公開用会員ＩＤ（生徒）と生徒選択欄２０１で選択した生徒の公開用会員ＩＤが一致するレコードを抽出して、抽出したレコードの公開用会員ＩＤ（教育機関）、会員名（教育機関）を送信先教育機関選択欄２２２へ設定している。
【０１１１】
教育機関送信画面の送信内容入力欄２２１に生徒への教育方法や教育内容に関する質問、大会や競技会で優秀な成績をおさめた生徒の報告等の情報を入力する。次に、送信先教育機関選択欄２２２から送信したい教育機関を１又は複数選択し、送信ボタン２２３を押下する。サーバ４は送信内容入力欄２２１で入力した送信内容と送信先教育機関選択欄２２２で選択した１又は複数の教育機関の公開用会員ＩＤ、会員名の情報を受け取り、受け取った情報と生徒選択欄２０１で選択した生徒の公開用会員ＩＤ、会員名と会員認証処理で保持した公開用会員ＩＤ、会員名を元にして教育機関送信テーブルへレコードを追加し、端末に正常終了のメッセージを表示する。尚、送信先教育機関選択欄２２２で教育機関が複数選択された場合、教育機関毎にレコードが作成される。
【０１１２】
次に、上記処理で送信先教育機関に指定された教育機関が送信内容を閲覧したい場合に用いる教育機関受信処理について説明する。教育機関はメニュー画面より教育機関受信処理を選択する。サーバ４は教育機関受信処理が選択されたことを受け取り、図２３に示した教育機関受信画面を端末に表示する。尚、送信元教育機関表示欄２３１、送信元生徒表示欄２３２、送信内容表示欄２３３には、教育機関送信テーブルから公開用会員ＩＤ（送信先）と会員認証処理で保持した公開用会員ＩＤが一致するレコードを抽出して、抽出したレコードの公開用会員ＩＤ（送信元教育機関）、会員名（送信元教育機関）、公開用会員ＩＤ（送信元生徒）、会員名（送信元生徒）、送信内容を設定する。
【０１１３】
「教育機関間生徒関連情報授受機能」の例として、教育機関Ａが生徒Ａの在籍している教育機関Ｂに生徒情報（“学習状況について〜“）を送信し、教育機関Ｂで送信された情報を閲覧するまでを示す。尚、既に会員情報テーブルには表２に示したデータが登録され、在籍関係テーブルにも表３に示したデータが登録されているものとする。
【０１１４】
教育機関Ａがメニュー画面から教育機関送信処理を選択すると教育機関Ａの端末７には図２０に示した生徒選択画面が表示される。生徒選択欄２０１から生徒Ａを選択し、送信ボタン２０２を押下する。そうすると、教育機関Ａの端末７に図２２に示した教育機関送信画面が表示される。教育機関送信画面の送信内容入力欄２２１に“学習状況について〜“を入力し、送信先教育機関選択欄２２２から送信したい教育機関Ｂを選択し、送信ボタン２２３を押下すると、教育機関送信テーブルに表９に示したレコードが追加される。
【０１１５】
次に、教育機関Ｂがメニュー画面から教育機関受信処理を選択すると教育機関Ｂの端末８には図２３に示した教育機関受信画面が表示される。
【０１１６】
【発明の効果】
以上説明したように、本発明によれば、教育機関、生徒、保護者間での生徒関連情報の授受を効率よく行え、３者の連携を高めていくことができ、学校週５日制の導入による学力低下の懸念、いじめ、不登校に対応していくことができる。さらに、緊急事態発生時には周辺の生徒等、教育機関へ通知されるので、被害の拡大を防ぎ、ひいては予防にもつながる。
【０１１７】
【図面の簡単な説明】
【図１】本発明における実施形態を示すブロック図である。
【図２】同実施形態における会員認証画面の図である。
【図３】同実施形態における在籍教育機関メンテナンス画面の図である。
【図４】同実施形態における都道府県選択画面の図である。
【図５】同実施形態における市区町村選択画面の図である。
【図６】同実施形態における町域選択画面の図である。
【図７】同実施形態における教育機関選択画面の図である。
【図８】同実施形態における送信画面の図である。
【図９】同実施形態における受信画面の図である。
【図１０】同実施形態における送信画面の図である。
【図１１】同実施形態における受信画面の図である。
【図１２】同実施形態における登下校入力画面の図である。
【図１３】同実施形態における登下校閲覧画面の図である。
【図１４】同実施形態における緊急連絡入力画面の図である。
【図１５】同実施形態における都道府県選択画面の図である。
【図１６】同実施形態における市区町村選択画面の図である。
【図１７】同実施形態における町域選択画面の図である。
【図１８】同実施形態における緊急連絡画面の図である。
【図１９】同実施形態における教育機関登録画面の図である。
【図２０】同実施形態における生徒選択画面の図である。
【図２１】同実施形態における教育機関閲覧画面の図である。
【図２２】同実施形態における教育機関送信画面の図である。
【図２３】同実施形態における教育機関受信画面の図である。
【符号の説明】
１〜２−端末、                      ３−移動端末
４−サーバ、                        ５−インターネット、
６−移動体通信網、                  ７〜８−端末、
９−移動端末
２１−会員ＩＤ入力欄、              ２２−パスワード入力欄、
２３−送信ボタン、
３１−在籍教育機関表示欄、          ３２−追加ボタン、
３３−削除ボタン、
４１−都道府県選択欄、              ４２−市区町村選択ボタン、
５１−市区町村選択欄、              ５２−町域選択ボタン、
６１−町域選択欄、                  ６２−教育機関選択ボタン、
７１−教育機関選択欄、              ７２−追加ボタン、
８１−送信内容入力欄、              ８２−送信先教育機関選択欄、
８３−送信ボタン、
９１−送信元生徒表示欄、            ９２−送信内容表示欄、
１０１−送信内容入力欄、            １０２−送信先生徒選択欄、
１０３−送信ボタン、
１１１−送信元教育機関表示欄、      １１２−送信内容表示欄、
１２１−生徒選択欄、                １２２−登校ボタン、
１２３−下校ボタン、
１３１−教育機関表示欄、            １３２−登下校日時表示欄、
１４１−緊急連絡内容入力欄、        １４２−緊急連絡先地域設定欄、
１４３−地域設定ボタン、            １４４−送信ボタン、
１５１−都道府県選択欄、            １５２−市区町村選択ボタン、
１６１−市区町村選択欄、            １６２−町域選択ボタン、
１７１−町域選択欄、                １７２−連絡地域設定ボタン、
１８１−緊急連絡内容表示欄、
１９１−登録内容入力欄、            １９２−登録先生徒選択欄、
１９３−登録ボタン、
２０１−生徒選択欄、                ２０２−選択ボタン、
２１１−登録元教育機関表示欄、      ２１２−登録内容表示欄
２２１−送信内容入力欄、            ２２２−送信先教育機関選択欄、
２２３−送信ボタン、
２３１−送信元教育機関表示欄、      ２３２−送信元生徒表示欄、
２３３−送信内容表示欄
【図１】
2004240938.tif 000013
【図２】
2004240938.tif 000014
【図３】
2004240938.tif 000015
【図４】
2004240938.tif 000016
【図５】
2004240938.tif 000017
【図６】
2004240938.tif 000018
【図７】
2004240938.tif 000019
【図８】
2004240938.tif 000020
【図９】
2004240938.tif 000021
【図１０】
2004240938.tif 000022
【図１１】
2004240938.tif 000023
【図１２】
2004240938.tif 000024
【図１３】
2004240938.tif 000025
【図１４】
2004240938.tif 000026
【図１５】
2004240938.tif 000027
【図１６】
2004240938.tif 000028
【図１７】
2004240938.tif 000029
【図１８】
2004240938.tif 000030
【図１９】
2004240938.tif 000031
【図２０】
2004240938.tif 000032
【図２１】
2004240938.tif 000033
【図２２】
2004240938.tif 000034
【図２３】
2004240938.tif 000035